(57)【特許請求の範囲】
【請求項１】
ディスクドライブ本体（５）を内部に収容するハードディスクドライブの収容ケースであって、
収納ケースは、下面が開口する上ケース（２）と、上ケース（２）の開口下面を塞ぐ下ケース（３）とからなり、
ディスクドライブ本体（５）は、下ケース（３）の内側上面に固定されて上ケース（２）内に納められており、
ディスクドライブ本体（５）は、一切の衝撃吸収材を介在させることなく、収容ケースの内部に収容されており、
上ケース（２）内の下端に、下ケース（３）がディスクドライブ本体（５）ごと下方への抜け止めを図って嵌め殺し状態で係合されており、
かかる係合状態において、下ケース（３）が、上ケース（２）に対して下ケース（３）のずれ動きを許容する状態で上下ケース（２・３）が一体化されていることを特徴とするハードディスクドライブの収容ケース。
【請求項２】
ディスクドライブ本体（５）を内部に収容するハードディスクドライブの収容ケースであって、
下面が開口する上ケース（２）と、上ケース（２）の開口下面を塞ぐ下ケース（３）とからなり、
ディスクドライブ本体（５）は、下ケース（３）の内側上面に固定されて上ケース（２）内に納められており、
ディスクドライブ本体（５）は、一切の衝撃吸収材を介在させることなく、収容ケースの内部に収容されており、
上ケース（２）は、四角板状の上壁（７）と、上壁（７）の左右および前後の周縁から下向きに連設した左右側壁（９・９）および前後側壁（１０・１１）とを含んでいて、開放された下面に下ケース（３）が嵌まり込むようになっており、
上ケース（２）の後側壁（１１）の内面において下端部には、下ケース（３）の後端を下方への抜け止めを図って係止する抜止部（１９）が設けられており、
下ケース（３）は、四角板状の下壁（２６）と、下壁（２６）の四隅にそれぞれ設けたビス穴（２７）と、下壁（２６）の左右端縁から上向きにそれぞれ連設した連結部（２９・２９）とを含んでおり、
各ビス穴（２７）にそれぞれ通したビス（４１）でディスクドライブ本体（５）が下ケース（３）に固定されており、
各連結部（２９）は、下壁（２６）の左右端縁に立設されたベース板（３３）と、ベース板（３３）の上端において外方へ突出状に設けた係止部（３５）とを含んでおり、
上ケース（２）の左右側壁（９・９）の内面には、下ケース（３）の各連結部（２９）の係止部（３５）がそれぞれ嵌係止する係合凹部（２１・２１）が設けられており、
下ケース（３）を上ケース（２）の開口下面に嵌め込むことにより、下ケース（３）の下壁（２６）を抜止部（１９）に係止し、かつ下ケース（３）の各連結部（２９）を上ケース（２）の各係合凹部（２１）にそれぞれ嵌係止して、上ケース（２）の周側壁の下端で下ケース（３）の外周縁が囲まれた状態で、且つ上ケース（２）に対して下ケース（３）のずれ動きを許容する状態で上下ケース（２・３）が一体化されていることを特徴とするハードディスクドライブの収容ケース。
【請求項３】
上ケース（２）の上壁（７）の内面には、下ケース（３）の連結部（２９）のベース板（３３）の内面に近接して対峙する補強用突起（２３）が設けられている請求項２記載のハードディスクドライブの収容ケース。
【請求項４】
上ケース（２）の前側壁（１０）には、ディスクドライブ本体（５）の前面に配したコネクタ（６）をケース外に臨ませるための開口（１２）を有しており、
下ケース（３）の下壁（２６）の内面の前端部には、上ケース（２）の開口（１２）の左右で前側壁（１０）の内面に近接して対峙する補強板（３０・３０）が上向きに突設されている請求項３記載のハードディスクドライブの収容ケース。
【請求項５】
下ケース（３）の下壁（２６）の上面において、ビス穴（２７）の周縁部（２７ａ）を盛り上げて形成してある請求項４記載のハードディスクドライブの収容ケース。
【発明の詳細な説明】
【技術分野】
【０００１】
本発明は、ＡＶ機器やコンピュータなどの機器に着脱自在に装着される小型軽量で大容量のハードディスクドライブの収容ケースに関する。
【背景技術】
【０００２】
特許文献１・２には、機器から取り外して持ち運び可能にしたリムーバブル・ハードディスクドライブが開示されている。かかるハードディスクドライブの内部には、精密部品である磁気ヘッドやその駆動機構などを配してあり、携行に際して誤って落下させると比較的簡単に壊れてしまう。
【０００３】
このため、特許文献１・２では、ハードディスクドライブを収容ケース内に収容してある。とくに特許文献１では、落下時などの衝撃緩和のためにハードディスクドライブを衝撃吸収材を介して収容ケース内に保持している。
【０００４】
【特許文献１】特開２００３−２７２３６７号公報（段落番号００１０、図１）
【特許文献２】特開２００１−２９１３８０号公報（段落番号００２７、図５）
【発明の開示】
【発明が解決しようとする課題】
【０００５】
前記収容ケースは、携行性の点から小型軽量化が望まれる。この点、特許文献１では、収容ケースの内部に衝撃吸収材が配されている分だけ嵩張ってしまう。特許文献２では、ディスクドライブ本体が収容ケースに固定されておらず収容ケース内でがたつくおそれがある。
【０００６】
そこで本発明の目的は、ハードディスクドライブを確りと固定できながら、小型軽量化と衝撃緩和とを図れるハードディスクドライブの収容ケースを提供することにある。
【課題を解決するための手段】
【０００７】
本発明に係るハードディスクドライブの収容ケースは、図１に示すごとく、ディスクドライブ本体５を内部に収容するハードディスクドライブの収容ケースであって、収納ケースは、下面が開口する上ケース２と、上ケース２の開口下面を塞ぐ下ケース３とからなり、ディスクドライブ本体５は、下ケース３の内側上面に固定されて上ケース２内に納められており、ディスクドライブ本体５は、一切の衝撃吸収材を介在させることなく、収容ケースの内部に収容されており、上ケース２内の下端に、下ケース３がディスクドライブ本体５ごと下方への抜け止めを図って嵌め殺し状態で係合されており、かかる係合状態において、下ケース３が、上ケース２に対して下ケース３のずれ動きを許容する状態で上下ケース２・３が一体化されていることを特徴とする。
【０００８】
具体的には、図２に示すごとく、ディスクドライブ本体５を内部に収容するハードディスクドライブの収容ケースであって、下面が開口する上ケース２と、上ケース２の開口下面を塞ぐ下ケース３とからなり、ディスクドライブ本体５は、下ケース３の内側上面に固定されて上ケース２内に納められており、ディスクドライブ本体５は、一切の衝撃吸収材を介在させることなく、収容ケースの内部に収容されている。上ケース２は、四角板状の上壁７と、上壁７の左右および前後の周縁から下向きに連設した左右側壁９・９および前後側壁１０・１１とを含んでいて、開放された下面に下ケース３が嵌まり込む。上ケース２の後側壁１１の内面において下端部には、下ケース３の後端を下方への抜け止めを図って係止する抜止部１９が設けられている。
【０００９】
下ケース３は、四角板状の下壁２６と、下壁２６の四隅にそれぞれ設けたビス穴２７と、下壁２６の左右端縁から上向きにそれぞれ連設した連結部２９・２９とを含んでおり、各ビス穴２７にそれぞれ通したビス４１でディスクドライブ本体５が下ケース３に固定される。各連結部２９は、下壁２６の左右端縁に立設されたベース板３３と、ベース板３３の上端において外方へ突出状に設けた係止部３５とを含み、上ケース２の左右側壁９・９の内面には、下ケース３の各連結部２９の係止部３５がそれぞれ嵌係止する係合凹部２１・２１が形成されている。
【００１０】
下ケース３を上ケース２の開口下面に嵌め込むことにより、下ケース３の下壁２６を抜止部１９に係止し、かつ下ケース３の各連結部２９を上ケース２の各係合凹部２１にそれぞれ嵌係止して、上ケース２の周側壁の下端で下ケース３の外周縁が囲まれた状態で上下ケース２・３が一体化されている。ここでは下ケース３の前後左右の外周縁のうち、少なくとも３方の外周縁が上ケース２の周側壁の下端で囲まれていれば該当する。ビス４１には、鋲なども含まれる。
【００１１】
下ケース３の連結部２９を補強するために、上ケース２の上壁７の内面には、下ケース３の連結部２９のベース板３３の内面に近接して対峙する補強用突起２３が設けられている。
【００１２】
上ケース２の前側壁１０には、ディスクドライブ本体５の前面に配したコネクタ６をケース外に臨ませるための開口１２を有しており、上ケース２の前側壁１０を補強するために、下ケース３の下壁２６の内面の前端部には、上ケース２の開口１２の左右で前側壁１０の内面に近接して対峙する補強板３０・３０が上向きに突設されている。
【００１３】
ディスクドライブ本体５と下ケース３の下壁２６との間に衝撃緩和用の隙間を形成するために、下ケース３の下壁２６の上面において、ビス穴２７の周縁部２７ａを盛り上げて形成してある。
【発明の効果】
【００１４】
本発明によれば、上ケース２の周側壁の下端で下ケース３の外周縁が囲まれているので、収納ケース１を誤って落下させても、ディスクドライブ本体５を固定した下ケース３が床などに直接当たり難い。しかも、下ケース３の後端を上ケース２の抜止部１９で係止し、下ケース３の各連結部２９を上ケース２の各係合凹部２１にそれぞれ嵌係止してあるだけであり、上ケース２に対して下ケース３がビス止めなどで一体的に固定されていないため、落下などの際には上ケース２に対して下ケース３が若干ずれ動いて衝撃を緩和することができる。
【００１５】
したがって、ディスクドライブ本体５を下ケース３に確りと抜け止め状に係合してありながら、適正な耐衝撃性が得られ、また衝撃緩和のために衝撃吸収材を用いなくても済む分だけ収納ケース１の小型軽量化が図れる。
【００１６】
下ケース３の連結部２９が、上ケース２の補強用突起２３で補強されていると、補強用突起２３の根元側で、連結部２９の先端側のケース内方側への揺動を確りと抑えることができ、収納ケース１を落下したときなどの衝撃で、連結部２９が係合凹部２１から外れたり、連結部２９が破損したりすることをよく防止できる。
【００１７】
上ケース２の前側壁１０が、下ケース３の補強板３０・３０で補強されていると、補強板３０・３０の根元側で、前側壁１０の先端側のケース内方側への揺動を確りと抑えることができ、収納ケース１を機器に装着して、ディスクドライブ本体５のコネクタ６を機器に接続する際などに前側壁１０が破損することをよく防止できる。
【００１８】
ビス穴２７の周縁部２７ａを盛り上げてあると、ディスクドライブ本体５と下ケース３の下壁２６との間に衝撃緩和用の隙間を形成することができ、これによっても耐衝撃性が向上する。
【発明を実施するための最良の形態】
【００１９】
図１ないし図４は本発明が対象とする収容ケースを示す。図２において収容ケース１は、上下ケース２・３を係合した四角形状のプラスチック成形品であり、四角形状のディスクドライブ本体５を内部に納めている。収容ケース１の内部空間は、ディスクドライブ本体５よりも一回り大きい。ディスクドライブ本体５は、磁気ディスク、磁気ヘッドおよび磁気ヘッドの駆動機構などを内部に含んでおり、前面にコネクタ６が配されている。
【００２０】
上ケース２は、図１に示すごとく、四角板状の上壁７と、上壁７の左右および前後の周縁から下向きに連設した左右側壁９・９および前後側壁１０・１１とを含んでおり、下面が開放されている。下ケース３は、四角板状になっており、上ケース２の開口下面に嵌まり込むことで、上ケース２の左右側壁９・９および後側壁１１の下端で下ケース３の左右および後ろ側の外周縁がスッポリと囲まれる。
【００２１】
上ケース２の前側壁１０には、ディスクドライブ本体５のコネクタ６をケース外に臨ませるための開口１２を有する。上ケース２において開口１２の下端は開放状態になっており、下ケース３の前端で前記開口１２の下縁が形成される。上ケース２の左右側壁９・９の外面には、前端が開放状態で前後方向に延びる機器装填用のガイド溝１３と、位置決め用の凹み１５・１６・１７とがそれぞれ設けられている。
【００２２】
上ケース２の後側壁１１の内面において下端部には、図１および図３に示すごとく、左右横長の線状突起（抜止部）１９と、後側壁１１の左右両端寄りにそれぞれ突条で形成された左右一対の規制突起２０・２０とが一体に形成されている。線状突起１９は、下ケース３の後端を下方への抜け止めを図って係止し、規制突起２０・２０は、下ケース３の上方への移動を規制する。
【００２３】
上ケース２の左右側壁９・９の内面には、図１および図４に示すごとく、前後方向の上端前側寄りに左右一対の係合凹部２１・２１が凹み形成されている。各係合凹部２１には、下ケース３の各連結部２９がそれぞれ嵌係止される。上ケース２の左右側壁９・９および前後側壁１０・１１の内面には、それぞれ上下方向に延びる補強リブ２２が配されている。これらの補強リブ２２によっても下ケース３の上方への移動が規制される。
【００２４】
上ケース２の上壁７の内面には、左右両端部であって係合凹部２１よりわずかに後ろ寄りに左右一対の補強用突起２３・２３が突設されている。各補強用突起２３は、下ケース３の連結部２９の内面に近接して対峙しており、連結部２９がケース内方側に湾曲するのを規制して連結部２９を補強する。上ケース２の上壁７の下面であって、ディスクドライブ本体５のコネクタ６の左右および後ろ側には、防塵用の遮蔽板２５が突設されている。
【００２５】
下ケース３は、四角板状の下壁２６と、下壁２６の四隅近傍にそれぞれ設けたビス穴２７と、下壁２６の左右端縁の前側寄り位置に上向きにそれぞれ連設した前記連結部２９・２９と、下壁２６の前端部の左右位置に上向きにそれぞれ連設した左右一対の補強板３０・３０と、図３に示すごとく下壁２６の後端の下面側に凹み形成した嵌合凹部３１とを含んでいる。嵌合凹部３１に上ケース２の線状突起１９が嵌合する。この嵌合状態で上ケース２の下端面と下ケース３の下面とが実質的に面一状になる。
【００２６】
先の各補強板３０は、上ケース２の開口１２の左右に位置するようになっており、下ケース３の下壁２６の前端部から上向きに突設して、上ケース２の前側壁１０の内面に近接して対峙する。各補強板３０によって前側壁１０がケース内方側に湾曲するのを規制して前側壁１０を補強する。各補強板３０には、前側壁１０のリブ２２との干渉を防ぐために、図１に示すごとく上下縦長の切り欠き３０ａが形成されている。
【００２７】
下ケース３の下壁２６の内面であってビス穴２７の周縁部２７ａは、下壁２６の平坦上面よりもわずかに盛り上がっており、ディスクドライブ本体５の平坦下面が下ケース３の下壁２６の平坦上面から確実に浮き上がるようにしてある。下ケース３の平坦上面の左右および後ろ側の外周縁には、その外周縁に沿って補強用の枠体３２が突条に形成されている。
【００２８】
各連結部２９は、図１および図４に示すごとく、下壁２６の左右端縁に立設されて前後方向に長いベース板３３と、ベース板３３の上端において外方へ突出状に設けた係止部３５とを含んでいる。係止部３５は、下向きの係止面３６を有しており、この係止面３６が上ケース２の係合凹部２１の上向きの抜け止め面３７に係止されることで（図４の状態）、下ケース３の下方への抜け止めが図られる。
【００２９】
各連結部２９の前端側は、上端部が切り欠かれており、上ケース２の位置決め用凹み１５の内壁３９との干渉を防いでいる。ベース板３３の内面側には、上下に延びる補強リブ４０が配されている。係止部３５の外面は、図４に示すごとく上端ほど細くなる楔状に傾斜している。
【００３０】
下ケース３の各ビス穴２７の周縁部２７ａ上にディスクドライブ本体５の下面隅部を載せ、下ケース３の各ビス穴２７にビス４１をそれぞれ通してディスクドライブ本体５に締め込むことにより、下ケース３の内側上面にディスクドライブ本体５を固定する。この状態で、下ケース３の下壁２６の嵌合凹部３１に上ケース２の線状突起１９を嵌係止させつつ（図３参照）、下ケース３を上ケース２の下面に嵌め込むことにより、下ケース３の各連結部２９の係止部３５が上ケース２の各係合凹部２１にそれぞれ嵌まり込んで係止する（図４の状態）。これにより、上ケース２内の下端に、下ケース３がディスクドライブ本体５ごと下方への抜け止めを図って嵌め殺し状態で係合される。
【００３１】
因みに、上ケース２の左右側壁９・９の前後中央付近をやや外方に湾曲させることで、下ケース３の各連結部２９の係止部３３が上ケース２の各係合凹部２１からそれぞれ外れ、これによって上ケース２と下ケース３とを無理抜き状に分離することができる。
【００３２】
上ケース２の周側壁である左右側壁９・９および後側壁１１の下端で下ケース３の外周縁が囲まれた状態で、上下ケース２・３が一体化されているので、収納ケース１を誤って落下させても、ディスクドライブ本体５を固定した下ケース３が床などに直接当たり難い。しかも、ディスクドライブ本体５は、収納ケース１に対してビス４１およびビス穴２７の周縁部２７ａのみで接触しており、また落下などの際には上ケース２に対して下ケース３が若干ずれ動いて衝撃を緩和することができる。したがって、前記収納ケース１を落下したときでも、その際の衝撃が緩和された状態で下ケース３を介してディスクドライブ本体５に伝達される。
【図面の簡単な説明】
【００３３】
【図１】収納ケースの分解斜視図
【図２】収納ケースの斜視図
【図３】図２のＡ−Ａ線断面図
【図４】図３のＢ−Ｂ線断面図
【符号の説明】
【００３４】
１  収容ケース
２  上ケース
３  下ケース
５  ディスクドライブ本体
６  コネクタ
７  上壁
９  左右側壁
１０  前側壁
１１  後側壁
１９  線状突起
２０  規制突起
２７  ビス穴
２７ａ  ビス穴の周縁部
２９  連結部
３０  ベース板
３１  嵌合凹部
３５  係止部
４１  ビス
【図１】
0004668550.tif 000002
【図２】
0004668550.tif 000003
【図３】
0004668550.tif 000004
【図４】
0004668550.tif 000005